(57)【特許請求の範囲】
【請求項１】
管壁を有するとともに管端部にフランジ（６）を備える、薄壁管または杭のような管状部材（１１）をクランプするためのクランプ装置（１）であって、当該クランプ装置により前記フランジのみをクランプした状態で前記管状部材を吊り上げるためのクランプ装置（１）であって、
前記フランジと係合して前記フランジをクランプするための少なくとも２つのクランプ手段（２）と、
前記管状部材を吊り上げている間に前記少なくとも２つのクランプ手段の相互の位置を維持するために前記少なくとも２つのクランプ手段を連結固定するクランプ装置フレーム（１０）であって、前記管状部材を吊り上げるときに前記管状部材が略垂直姿勢で垂れ下がるように前記管状部材を前記フランジでクランプするために、前記少なくとも２つのクランプ手段が当該クランプ装置の仮想外周に沿って配置されて分布される、クランプ装置フレーム（１０）と
を備え、
前記少なくとも２つのクランプ手段のそれぞれが、
前記フランジの上面と係合するための上側クランプシュー（１８）を備える第１のクランプ部材（３）と、
前記第１のクランプ部材とヒンジ結合されるとともに、前記フランジの下面と係合するための下側クランプシュー（１６）を備える第２のクランプ部材（４）であって、前記第１のクランプ部材および前記第２のクランプ部材が、前記上側および下側クランプシュー間で前記フランジを受けるための開位置と、前記上側および下側クランプシュー間で前記フランジをクランプするための閉位置との間をヒンジ軸線（８）周りで蝶番式に相互に動くことができる、第２のクランプ部材（４）と、
当該クランプ装置を吊り上げケーブルまたはリンクプレートのような吊り上げ要素と結合するとともに、当該クランプ装置に吊り上げ力（Ｆ）を加えるための結合部材（５）であって、前記結合部材が前記第１のクランプ部材（３）に設けられ、前記ヒンジ軸線（８）が、前記吊り上げ力が前記結合部材に加えられるときにクランプ力を前記フランジに加えるために、前記結合部材（５）と前記上側クランプシュー（１８）との間に配置される、結合部材（５）と
を備え、
前記結合部材と前記上側および下側クランプシューとが、当該クランプ装置を用いて前記管状部材を吊り上げるときに前記フランジが前記管状部材の壁との移行部分で実質的に引張応力のみを受けるように、前記ヒンジ軸線に対して配置される、クランプ装置（１）。
【請求項２】
前記第２のクランプ部材が、前記管状部材の曲げ応力を減少させるために前記上側クランプシューよりも前記管壁の方に近い位置で前記フランジを前記下側クランプシューと係合させるべく、前記上側クランプシューを通り過ぎて延びる、請求項１に記載のクランプ装置。
【請求項３】
前記フランジが前記管壁との移行部分（１７）で実質的に引張応力のみを受けるように前記フランジに対して前記上側および下側クランプシューを位置決めするべく、特に、下側クランプシュー中心（２８）を管壁中心（１４）から壁間隔（ｙ）だけ離間させるべく、当該クランプ装置を前記管壁（１３）に対して配置するためのストッパ面（２３，２５）を備える、請求項１または２に記載のクランプ装置。
【請求項４】
径方向で見て、結合手段中心（２６）が、結合手段梃長さ（ａ）だけ前記ヒンジ軸線（８）から離間され、上側クランプシュー中心（２７）が、上側クランプシュー梃長さ（ｂ）だけ前記ヒンジ軸線（８）から離間され、前記下側クランプシュー中心（２８）が、クランプシュー間隔（ｘ）だけ前記上側クランプシュー中心（２７）から離間され、前記結合手段梃長さ（ａ）と前記上側クランプシュー梃長さ（ｂ）との比率が、当該クランプ装置を用いて前記管状部材を吊り上げるときに前記フランジが前記管状部材の前記管壁との移行部分で実質的に引張応力のみを受けるために、前記壁間隔（ｙ）と前記クランプシュー間隔（ｘ）との比率に対応する、請求項３に記載のクランプ装置。
【請求項５】
当該クランプ装置を前記管状部材内で中心付けて前記管状部材の前記フランジと係合するために前記上側および下側クランプシューを位置決めするための複数のストッパ面（２３）を備える、請求項３または４に記載のクランプ装置。
【請求項６】
前記少なくとも２つのクランプ手段（２）のうちの少なくとも１つの前記第２のクランプ部材が、前記下側クランプシューを備えるとともに、前記クランプ装置フレーム（１０）とスライド可能に結合され、前記第２のクランプ部材が、前記フランジを通り過ぎて前記第２のクランプ部材を移動させるための収縮位置と、前記下側クランプシューが前記フランジの下面と対向するための伸長位置との間で当該クランプ装置の仮想外周面に対して径方向にスライドできる、請求項１〜５のいずれか一項に記載のクランプ装置。
【請求項７】
前記クランプ装置フレームが、前記第２のクランプ部材を少なくとも部分的に内部にスライド可能に受け入れるとともに、前記第２のクランプ部材が伸長位置にあるときに前記フランジをクランプするための力線を閉じるために前記第２のクランプ部材を前記クランプ装置フレームと結合させるための収容部を備える、請求項６に記載のクランプ装置。
【請求項８】
前記収容部が前記クランプ装置フレームと一体に形成される、請求項７に記載のクランプ装置。
【請求項９】
前記第１のクランプ部材が全体的に前記第２のクランプ部材よりも上方に延びる、請求項１〜８のいずれか一項に記載のクランプ装置。
【請求項１０】
前記管状部材を当該クランプ装置によって吊り上げる前に前記管状部材の前記フランジを前記下側および上側クランプシュー間で事前にクランプするために、前記第１および第２のクランプ部材の両方と結合されるアクチュエータを備える、請求項１〜９のいずれか一項に記載のクランプ装置。
【請求項１１】
前記アクチュエータが前記第１および第２のクランプ部材間に設けられる、請求項１０に記載のクランプ装置。
【請求項１２】
前記第１および第２のクランプ部材が下側および上側クランプシュー間で前記フランジをクランプするときに略平行に延びるように、前記第１および第２のクランプ部材を所定の距離だけ相互に離間させるための離間部材（２０）を備える、請求項１〜１１のいずれか一項に記載のクランプ装置。
【請求項１３】
前記距離が前記フランジのフランジ厚にほぼ対応する、請求項１２に記載のクランプ装置。
【請求項１４】
請求項１〜１３のいずれか一項に記載のクランプ装置と、そのフランジで前記クランプ装置とクランプされる前記管状部材とのアセンブリ。
【請求項１５】
請求項１〜１４のいずれか一項に記載のクランプ装置（１）を使用してフランジ付きの管状部材（１１）を吊り上げるための方法であって、
前記下側クランプシュー（１６）を前記管壁（１３）へ向けて径方向に移動させるステップを備える方法。
【発明の詳細な説明】
【技術分野】
【０００１】
本発明は、薄壁管または杭井プラットフォーム支持杭もしくは風車支持杭のような管状部材をクランプするためのクランプ装置であって、クランプ装置を用いてクランプされる管状部材を吊り上げるためのクランプ装置に関する。
【背景技術】
【０００２】
そのようなクランプ装置は、内部エレベータが開示される米国特許第４３２０９１５号明細書から知られており、内部で内側から受けられるべきエレベータは、杭井プラットフォーム支持杭などの管状部材を把持して支持する。エレベータは、好ましくは外側本体の開口内に取り付けられ、かつ内側カム本体の電動的な軸方向の移動により径方向外側に作動して管状部材と把持係合することができるスリップを含む。
【０００３】
そのようなクランプ装置は、パイプまたは杭を昇降させるための内部エレベータを開示する英国特許第２２２４４８１号明細書からも知られており、内部エレベータは、径方向に移動してパイプまたは杭の内壁と係合できる複数のグリッパアセンブリを備える。
【０００４】
欧州特許出願公開第０４０２２３１号明細書は、槽の周縁をクランプするための装置を開示し、この装置は、互いに対して並進して側方から周縁に近づくクランプ部材を有する。
【０００５】
米国特許第２３２７００５号明細書は、樽の直立出縁と側方から係合する樽昇降手段を開示する。
【０００６】
米国特許出願公開第２００１／００１５２５号明細書は、直立管状側壁を有する荷を昇降するための機器を開示する。この機器は、管状側壁の一部を把持するように構成されて配置される複数のクランプを有する。クランプは側壁に対して側方へ移動する。
【０００７】
オランダ特許出願公開第８４０３４４５号明細書は、クランプ部材間で槽の直立周縁と係合するための装置を開示する。
【発明の概要】
【発明が解決しようとする課題】
【０００８】
これらの既知のクランプ装置は、内部フランジをその端部に備える管状部材内で受けられた後に管状部材をクランプして吊り上げること、特に内部フランジをクランプして内部フランジを介して管状部材を吊り上げることに適さない。また、これらの既知のクランプ装置は、大径の管状部材を吊り上げる場合に吊上げ重量をかなり増大させることとなる。
【０００９】
一般に、フランジをクランプすることが知られている。しかしながら、風車を支持するための杭のフランジをクランプすると、少なくとも管状部材のフランジと壁との間の移行部分で許容できない応力がもたらされる。
【００１０】
本発明は、管状部材をクランプするためのクランプ装置であって、少なくとも既知のクランプ装置と関連付けられる問題が少なくとも部分的に解決されるクランプ装置を提供することを目的とする。
【００１１】
本発明の別の目的は、代替のクランプ装置を提供することである。
【課題を解決するための手段】
【００１２】
本発明の第１の態様によれば、これは、管壁を有するとともに管端部にフランジを備える、薄壁管または杭のような管状部材をクランプするためのクランプ装置であって、クランプ装置によりフランジのみをクランプした状態で吊り上げるためのクランプ装置において、
フランジと係合してフランジをクランプするための少なくとも２つのクランプ手段と、
管状部材を吊り上げている間に少なくとも２つのクランプ手段の相互の位置を維持するために少なくとも２つのクランプ手段を連結固定するクランプ装置フレームであって、管状部材を吊り上げるときに管状部材が略垂直姿勢で垂れ下がるように管状部材をフランジでクランプするために、少なくとも２つのクランプ手段がクランプ装置の仮想外周に沿って配置されて分布される、クランプ装置フレームと
を備え、
少なくとも２つのクランプ手段のそれぞれが、
フランジの上面と係合するための上側クランプシューを備える第１のクランプ部材と、
第１のクランプ部材とヒンジ結合されるとともに、フランジの下面と係合するための下側クランプシューを備える第２のクランプ部材であって、第１のクランプ部材および第２のクランプ部材は、上側および下側クランプシュー間でフランジを受けるための開位置と、上側および下側クランプシュー間でフランジをクランプするための閉位置との間をヒンジ軸線周りで蝶番式に相互に動くことができる、第２のクランプ部材と、
クランプ装置を吊り上げケーブルまたはリンクプレートのような吊り上げ要素と結合するとともに、クランプ装置に吊り上げ力を加えるための結合部材であって、結合部材が第１のクランプ部材に設けられ、ヒンジ軸線は、吊り上げ力が結合部材に加えられるときにクランプ力をフランジに加えるために、結合部材と上側クランプシューとの間に配置される、結合部材と
を備え、
結合部材と上側および下側クランプシューとは、クランプ装置を用いて管状部材を吊り上げるときにフランジが管状部材の壁との移行部分で実質的に引張応力のみを受けるように、ヒンジ軸線に対して配置される、クランプ装置によって実現される。
【００１３】
本発明に係るクランプ装置は、管状部材の内部フランジおよび外部フランジの両方に有益に適用されてもよい。それに応じて、クランプ手段の向きを管状部材のフランジへ向けて径方向外側または径方向内側にそれぞれ適合させる必要がある。
【００１４】
本発明に係るクランプ装置の一実施形態において、第２のクランプ部材は、管状部材の曲げ応力をさらに減少させるために上側クランプシューよりも管壁の方に近い位置でフランジを下側クランプシューと係合させるべく、上側クランプシューを通り過ぎて延びる。
【００１５】
一実施形態において、本発明に係るクランプ装置は、フランジが管壁との移行部分で実質的に引張応力のみを受けるようにフランジに対して上側および下側クランプシューを位置決めするべく、クランプ装置を管壁に対して配置するためのストッパ面、好ましくは下側クランプシュー中心を管壁中心から壁間隔ｙだけ離間させるためのストッパ面を備える。ストッパ面は、管壁に対してクランプ装置を配置するために管壁の内周および／または外周と係合してもよい。
【００１６】
本発明に係るクランプ装置の一実施形態において、径方向で見て、結合手段中心は、結合手段梃長さａだけヒンジ軸線から離間され、上側クランプシュー中心は、上側クランプシュー梃長さｂだけヒンジ軸線から離間され、下側クランプシュー中心は、クランプシュー間隔ｘだけ上側クランプシュー中心から離間され、結合手段梃長さａと上側クランプシュー梃長さｂとの比率は、クランプ装置を用いて管状部材を吊り上げるときにフランジが管状部材の壁との移行部分で実質的に引張応力のみを受けるために、壁間隔（ｙ）とクランプシュー間隔（ｘ）との比率に対応する。
【００１７】
一実施形態において、本発明に係るクランプ装置は、クランプ装置を管状部材内で中心付けて管状部材のフランジと係合するために上側および下側クランプシューを位置決めするための複数のストッパ面を備える。
【００１８】
本発明に係るクランプ装置の一実施形態において、少なくとも２つのクランプ手段のうちの少なくとも１つの第２のクランプ部材は、下側クランプシューを備えるとともに、クランプ装置フレームとスライド可能に結合され、第２のクランプ部材は、フランジを通り過ぎて第２のクランプ部材を移動させるための収縮位置と、下側クランプシューがフランジの下面と対向するための伸長位置との間でクランプ装置の仮想外周面に対して径方向にスライドできる。
【００１９】
本発明に係るクランプ装置の一実施形態において、クランプ装置フレームは、第２のクランプ部材を少なくとも部分的に内部にスライド可能に受け入れるとともに、第２のクランプ部材が伸長位置にあるときにフランジをクランプするための力線を閉じるために第２のクランプ部材をクランプ装置フレームと結合させるための収容部を備える。この実施形態は、クランプ装置の一体化のレベルに関して、その結果、クランプ装置の重量および寸法のレベルに関して有益である。
【００２０】
本発明に係るクランプ装置の一実施形態では、収容部がクランプ装置フレームと一体に形成され、これは、クランプ装置フレームの強度および重量に関して有益である。
【００２１】
本発明に係るクランプ装置の一実施形態では、第１のクランプ部材が全体的に第２のクランプ部材の上方に延び、これにより、例えばアクチュエータを第１のクランプ部材と第２のクランプ部材との間に配置することができる。
【００２２】
一実施形態において、本発明に係るクランプ装置は、管状部材をクランプ装置によって吊り上げる前に管状部材のフランジを下側および上側クランプシュー間で事前にクランプするために、あるいは、第１および第２のクランプ部材を開位置の方へ押し進めるために、第１および第２のクランプ部材の両方と結合されるアクチュエータを備える。
【００２３】
本発明に係るクランプ装置の一実施形態では、アクチュエータが第１および第２のクランプ部材間に設けられ、これは、ロバスト性が高く、スペースをとらない。
【００２４】
一実施形態において、本発明に係るクランプ装置は、第１および第２のクランプ部材が下側および上側クランプシュー間でフランジをクランプするときに略平行に延びるように、第１および第２のクランプ部材を所定の距離だけ相互に離間させるための離間部材を備える。
【００２５】
本発明に係るクランプ装置の一実施形態では、上記距離がフランジのフランジ厚にほぼ対応し、これは、フランジを上側および下側クランプシューと係合させるのに有益である。
【００２６】
また、本発明は、本発明に係るクランプ装置と、そのフランジでクランプ装置とクランプされる管状部材とのアセンブリに関する。
【００２７】
さらに、本発明は、本発明に係るクランプ装置を使用してフランジ付きの管状部材を吊り上げるための方法であって、下側クランプシューを管壁へ向けて径方向に移動させるステップを備える方法に関する。
【００２８】
また、本発明は、明細書に記載され、および／または添付図面に示される特徴のうちの１つ以上を備える装置に関する。
【００２９】
さらに、本発明は、明細書に記載され、および／または添付図面に示される特徴のうちの１つ以上を備える方法に関する。
【００３０】
本特許で論じられる様々な態様は、さらなる有利な利点を与えるように組み合わせることができる。
【００３１】
以下に示される図面で明らかにされる本発明に係るクランプ装置の一実施形態を参照して本発明をさらに説明する。
【図面の簡単な説明】
【００３２】
【図１】クランプ装置と管状部材とのアセンブリの斜視図である。
【図２】クランプ装置のクランプ手段の概略側面図である。
【図３】図１のアセンブリの側断面図である。
【図４】図３の詳細図である。
【発明を実施するための形態】
【００３３】
ここで、図１〜図４の全てを参照して実施形態を説明する。
【００３４】
図１は、クランプ装置１と、管状部材、ここでは部分的に示される杭１１とのアセンブリを斜視図で示している。中空の杭１１は円筒状の杭壁１３を有する。杭１１には、その示される上端に環状内部フランジ６が設けられる。場合により、杭１１の両端には、ボルト接続部を穴７に適用することにより２つの隣接する杭１１を結合させて、例えば風車用の支持体を構成するために、環状フランジ６が設けられる。内部フランジ６を設けると、杭１１の内部にボルト接続部が配置されて、例えば海水により引き起こされる腐食が防止され、有益である。
【００３５】
杭１１を吊り上げるために、クランプ装置１は杭のフランジ６でのみクランプし、したがって、杭１１を吊り上げるためのさらなる手段を杭１１に設ける必要がなく、有益である。
【００３６】
この場合、クランプ装置１は、４つのクランプ手段２を有するが、異なる数のクランプ手段２が考えられる。ただし、クランプ装置１を用いて杭１１を吊り上げるときに杭１１が略垂直姿勢で垂れ下がるように杭１１をそのフランジ６でクランプするために、異なる数のクランプ手段２がクランプ装置１の仮想外周に沿って配置されて分布される場合に限られる。実際には、クランプ装置１の仮想外周は、クランプ装置１と杭１１との係合のための、杭１１の外周１２に対応する。
【００３７】
クランプ装置１は、クランプ装置１に強度を与えるためのクランプ装置フレーム１０を備える。４つのクランプ手段２は、杭１１を吊り上げている間にクランプ手段の相互の位置を維持するために、クランプ装置フレーム１０と連結固定される。
【００３８】
この場合、４つのクランプ手段２のそれぞれは、フランジ６をクランプするための第１のクランプ部材３および第２のクランプ部材４と、吊り上げ力Ｆをクランプ装置１に加えるための吊り上げケーブル（図示せず）またはリンクプレートに対してクランプ手段２を結合するための結合部材５とを備える。クランプ装置１は、クランプ手段２の結合部材５のみを介して吊り上げケーブルまたはリンクプレートと結合されて、フランジ６の強固なクランプを行なう。リンクプレートの使用は、クランプ装置１の取り扱い中に、および／またはクランプ装置１と杭１１との組み付け中にクランプ装置１の適切な水平位置を維持するのを容易にする。第１のクランプ部材３の穴自体は、「結合部材」となるのにも同様に適している。図１に示されるように、この場合には、その穴にシャックルが取り付けられる。
【００３９】
第１のクランプ部材３には、フランジ６の上面１９と係合するための上側クランプシュー１８が設けられる。第２のクランプ部材４には、フランジの下面１５と係合するための下側クランプシュー１６が設けられる。上側および下側クランプシュー１８，１６はいずれも、フランジ６との制御された所定の係合をもたらすためにそれぞれのクランプ部材３，４から突出する。
【００４０】
第２のクランプ部材４は、第１のクランプ部材３とヒンジ結合される。第２のクランプ部材４および第１のクランプ部材３は、上側および下側クランプシュー１６，１８間でフランジ６をクランプするために、これらの部材３，４をヒンジ軸線８周りで蝶番式に相互に動くようにするべくヒンジ結合される。この場合、第１のクランプ部材３および第２のクランプ部材４は、第１のクランプ部材３が第２のクランプ部材４およびクランプ装置フレーム１０に対して蝶番式に動くようにクランプ装置フレーム１０を介して結合される。
【００４１】
この場合、第２のクランプ部材４は、管状部材１１の曲げ応力を減少させるために上側クランプシュー１８よりも管壁１３の中心線１４の方に近い位置でフランジ６を下側クランプシュー１６と係合させるべく上側クランプシュー１８を通り過ぎて延びる。下側クランプシュー１６は下側クランプシュー距離ｙだけ中心線１４から離間され、一方、上側クランプシュー１８は上側クランプシュー距離ｘだけ中心線１４から離間される。
【００４２】
ここで、第１のクランプ部材３は、全体的に第２のクランプ部材４の上方に延びており、それにより、より単純な構造がもたらされる。
【００４３】
この場合、クランプ装置１は、管状部材１１をクランプ装置１によって吊り上げる前に、管状部材１１のフランジ６を下側および上側クランプシュー１６，１８間で事前にクランプするために、第１および第２のクランプ部材３，４の両方と結合されるアクチュエータ２２を備える。アクチュエータ２２は、第１および第２のクランプ部材３，４間に設けられる。
【００４４】
アクチュエータ２２は、第１および第２のクランプ部材３，４を開位置（図示せず）の方に強制的に相互に蝶番式に動かしてフランジを上側および下側クランプシュー１８，１６間で受けるために使用されてもよい。これは、上側クランプシュー１８とフランジの上面１９との衝突を防止する。第１および第２のクランプ部材を開位置の方に強制的に蝶番式に動かすために簡単な弾性部材が使用されてもよい。
【００４５】
ここで、クランプ装置１は、上側および下側クランプシュー１６，１８間のフランジ６のフランジ厚にほぼ対応する距離だけ第１および第２のクランプ部材を相互に離間させるための離間部材２０を備える。その結果、第１および第２のクランプ部材は、下側および上側クランプシュー間でフランジをクランプするときに略平行に延び、それにより、クランプ装置とフランジ６とのより良好な制御された係合がもたらされる。
【００４６】
この場合、下側クランプシュー１６を備える第２のクランプ部材４は、クランプ装置フレーム１０とスライド可能に結合される。第２のクランプ部材４が収縮位置と伸長位置との間で移動できる限りは、第２のクランプ部材がクランプ装置フレーム１０と転がり態様で、あるいはヒンジシステムまたはリンクシステムを介して結合されることも考えられる。第２のクランプ部材４は、フランジ６を通り過ぎて第２のクランプ部材４を移動させるための収縮位置（図示せず）と、下側クランプシュー１６がフランジ６の下面１５と対向するための図３に見られる伸長位置との間でスライドできる。クランプ装置フレーム１０は、この場合には４つの第２のクランプ部材４を駆動させるための作動システム（図示せず）を受け入れる。第２のクランプ部材は、クランプ装置１と管状部材１１との相互の位置合わせをさらに容易にするために均一な態様で駆動されるのが好ましい。ここで、クランプ装置フレーム１０は、第２のクランプ部材４を少なくとも部分的に内部にスライド可能に受け入れるための収容部を備える。第２のクランプ部材４は、第２のクランプ部材４がその伸長位置にあるときに、フランジ６をクランプするための力線を閉じるためにクランプ装置フレーム１０と結合される。ここで、収容部はクランプ装置フレーム１０と一体に形成される。
【００４７】
この場合、結合部材５は第１のクランプ部材３に設けられる。ここで、結合部材は、第１のクランプ部材３とパッド−アイ（ｐａｄ−ｅｙｅ）ヒンジ結合される。ヒンジ軸線８は、吊り上げ力Ｆが結合部材５に加えられるときにフランジ６にクランプ力Ｆ１を加えるために結合部材５と上側クランプシュー１８との間に配置される。結合部材５は、結合手段梃長さａだけヒンジ軸線８から離間される。上側クランプシュー１８は、上側クランプシュー梃長さｂだけヒンジ軸線８から離間される。結合部材５と上側および下側のクランプシュー１８，１６とは、クランプ装置１を用いて管状部材１１を吊り上げるときに、フランジ６が管状部材１１の壁１３との移行部分１７で実質的に引張応力のみを受けるようにヒンジ軸線８に対して配置される。クランプ力Ｆ２は、下側クランプシュー１６でフランジ６に対して加えられる。
【００４８】
この場合、クランプ装置１は、フランジ６が該フランジ６と管壁１３との移行部分１７で実質的に引張応力のみを受けるようにフランジ６に対して上側および下側のクランプシュー１８，１６を位置決めするべく、クランプ装置１を管壁１３に対して配置するためのストッパ面２３を備える。
【００４９】
ここで、管状部材１１のフランジ６と係合するようにクランプ装置１を管状部材１１内で中心付けるために多くのストッパ面２３が設けられる。
【００５０】
クランプ装置１と管状部材１１とを位置合わせするために、クランプ装置１には位置合わせ部材２１が設けられ、ここでは４つの位置合わせ部材がクランプ手段２のそれぞれに設けられる。各位置合わせ部材２１はそれぞれのクランプ手段２と径方向で位置合わせされ、これは、クランプ手段２をフランジ６で位置決めするのに有益である。
【００５１】
また、言うまでもなく、以上の説明および図面は、本発明の幾つかの実施形態を説明するために含まれており、保護の範囲を限定するために含まれているものではない。この開示を発端として、この発明の本質であり保護の範囲内に入るとともに従来技術と本特許の開示との自明な組み合わせであるさらに多くの実施形態が当業者に明らかになるであろう。
【図１】
0005950356.tif 000002
【図２】
0005950356.tif 000003
【図３】
0005950356.tif 000004
【図４】
0005950356.tif 000005